(57)【要約】【課題】画像形成装置の動作状態にかかわらず発電を行うことのできる画像形成装置を提供する。【解決手段】複合機（画像形成装置）１０に着脱可能に装着される周辺装置８００における複合機１０に装着したときに複合機１０と当接する面に、加えられた圧力を電力に変換する圧電素子を備え、周辺装置８００を複合機１０に装着することによって周辺装置８００と複合機１０とに挟まれて上記圧電素子に作用する圧力により発電を行う圧電素子ユニット７０２を備える。【選択図】図１
2012008274.tif 000002
【特許請求の範囲】
【請求項１】
記録材上に画像を形成する画像形成装置に対して着脱可能に装着される周辺装置であって、
画像形成装置に装着したときに画像形成装置と当接する面に設けられた圧電素子ユニットを備え、
上記圧電素子ユニットは、加えられた圧力を電力に変換する圧電素子を備えており、周辺装置を画像形成装置に装着することによって周辺装置と画像形成装置とに挟まれて上記圧電素子に作用する圧力により発電を行うことを特徴とする周辺装置。
【請求項２】
上記圧電素子は、チタン酸バリウム、ジルコニア、リチウムタンタレートのうちのいずれか１つ以上を用いたものであることを特徴とする請求項１に記載の周辺装置。
【請求項３】
上記圧電素子ユニットは、複数の圧電素子が同一平面内に配置された圧電素子アレイを複数備えており、
上記各圧電素子アレイは、上記圧力の作用方向に沿って積層されていることを特徴とする請求項１または２に記載の周辺装置。
【請求項４】
記録材上に画像を形成する画像形成装置と、上記画像形成装置に対して着脱可能に装着される周辺装置とを備えた画像形成システムであって、
上記画像形成装置における上記周辺装置との当接面、または上記周辺装置における上記画像形成装置との当接面に設けられた圧電素子ユニットを備え、
上記圧電素子ユニットは、加えられた圧力を電力に変換する圧電素子を備えており、上記周辺装置を上記画像形成装置に装着することによって上記周辺装置と上記画像形成装置とに挟まれて上記圧電素子に作用する圧力により発電を行うことを特徴とする画像形成システム。
【請求項５】
上記圧電素子は、チタン酸バリウム、ジルコニア、リチウムタンタレートのうちのいずれか１つ以上を用いたものであることを特徴とする請求項４に記載の画像形成システム。
【請求項６】
上記圧電素子ユニットは、複数の圧電素子が同一平面内に配置された圧電素子アレイを複数備えており、
上記各圧電素子アレイは、上記圧力の作用方向に沿って積層されていることを特徴とする請求項４または５に記載の画像形成システム。
【請求項７】
上記圧電素子ユニットによって発電された電力の電圧を降圧する降圧部を１つ以上備えており、
電圧値の異なる複数種類の電力を生成することを特徴とする請求項４から６のいずれか１項に記載の画像形成システム。
【請求項８】
上記画像形成システムは、外部から供給される電力によって駆動されるものであり、
上記圧電素子ユニットの発電した電力を蓄電する蓄電部を備え、
上記画像形成システムに対する外部からの電力供給が遮断されたときに、上記蓄電部に蓄電されている電力を上記画像形成システムの少なくとも一部を駆動するための電力として用いることを特徴とする請求項４から７のいずれか１項に記載の画像形成システム。
【請求項９】
表示部を備え、
上記画像形成システムに対する外部からの電力供給が遮断されたときに、上記蓄電部に蓄電されている電力を用いて上記表示部を駆動し、外部からの電力供給が遮断されたことを示すメッセージ、推奨される対処法を示すメッセージ、および当該画像形成システムの状況を示すメッセージのうちのいずれか１つ以上を表示させることを特徴とする請求項８に記載の画像形成システム。
【請求項１０】
ネットワークを介して通信可能に接続された他の装置との通信を行う通信部を備え、
上記画像形成システムに対する外部からの電力供給が遮断されたときに、上記蓄電部に蓄電されている電力を用いて上記通信部を駆動し、外部からの電力供給が遮断されたことを示すメッセージを予め設定された送信先に送信することを特徴とする請求項８または９に記載の画像形成システム。
【請求項１１】
上記画像形成システムは、上記記録材を搬送する記録材搬送部を備えており、上記画像形成システムに対する外部からの電力供給が遮断されたときに、上記蓄電部に蓄電されている電力を用いて上記記録材搬送部を駆動し、上記記録材搬送部によって搬送中の記録材を排出することを特徴とする請求項８から１０のいずれか１項に記載の画像形成システム。
【発明の詳細な説明】
【技術分野】
【０００１】
本発明は、画像形成装置に着脱可能に装着される周辺装置、および上記画像形成装置と上記周辺装置とからなる画像形成システムに関するものである。
【背景技術】
【０００２】
従来、画像形成装置は、当該装置の外部から供給される電力（商用電源あるいは自家発電電源から供給される電力）によって駆動されている。また、画像形成装置においては、ランニングコストの低減や地球環境問題への対策等のために、エネルギーの有効利用が求められている。また、外部からの電力供給が遮断された場合であっても故障等が生じることを防止するための動作を行えるようにすることが求められている。
【０００３】
例えば、特許文献１には、定着器からの熱を利用して発電する第１の熱電変換素子と、排紙トレイ上の記録シートの熱を利用して発電する第２の熱電変換素子とを備え、これら両熱電変換素子によって発電された電力を用いて排紙トレイ上の記録シートへの送風を行うファンを駆動することが記載されている。これにより、特許文献１の技術では、外部からの電力供給が遮断された場合であっても排紙トレイ上の記録シートやファンそのものの冷却を可能にし、タッキングやファン故障の防止を図っている。
【先行技術文献】
【特許文献】
【０００４】
【特許文献１】特開２０１０−４９００５号公報（平成２２年３月４日公開）
【特許文献２】特開２００６−１６６６９４号公報（平成１８年６月２２日公開）
【発明の概要】
【発明が解決しようとする課題】
【０００５】
しかしながら、上記特許文献１の技術は、定着器および排紙トレイ上の記録シートの熱を利用して発電するものであり、例えば画像形成装置の電源をＯＮにした直後に外部からの電力供給が遮断された場合など、定着器が十分に発熱していない状態のときに電力供給が遮断された場合には発電を行うことができない。
【０００６】
本発明は、上記の問題点に鑑みてなされたものであり、その目的は、外部からの電力供給が遮断された場合であっても、それ以前の動作状態にかかわらず所定の動作を行うことのできる画像形成装置を提供することにある。
【課題を解決するための手段】
【０００７】
本発明の周辺装置は、記録材上に画像を形成する画像形成装置に対して着脱可能に装着される周辺装置であって、画像形成装置に装着したときに画像形成装置と当接する面に設けられた圧電素子ユニットを備え、上記圧電素子ユニットは、加えられた圧力を電力に変換する圧電素子を備えており、周辺装置を画像形成装置に装着することによって周辺装置と画像形成装置とに挟まれて上記圧電素子に作用する圧力により発電を行うことを特徴としている。
【０００８】
上記の構成によれば、周辺装置を装着する際に圧電素子に作用する圧力、および周辺装置を装着した後に画像形成装置または周辺装置の振動によって圧電素子に作用する圧力を電力に変換することができる。また、画像形成装置および周辺装置の動作状態にかかわらず発電を行うことができる。
【０００９】
また、上記圧電素子は、チタン酸バリウム、ジルコニア、リチウムタンタレートのうちのいずれか１つ以上を用いたものである構成としてもよい。
【００１０】
上記の構成によれば、作用する圧力に比例して電気分極が生じて電圧が発生し、発電を行うことができる。
【００１１】
また、上記圧電素子は、チタン酸バリウム、ジルコニア、リチウムタンタレートのうちのいずれか１つ以上を用いたものである構成としてもよい。
【００１２】
上記の構成によれば、作用する圧力に比例して電気分極が生じて電圧が発生し、発電を行うことができる。
【００１３】
また、上記圧電素子ユニットは、複数の圧電素子が同一平面内に配置された圧電素子アレイを複数備えており、上記各圧電素子アレイは、上記圧力の作用方向に沿って積層されている構成としてもよい。
【００１４】
上記の構成によれば、周辺装置を画像形成装置に装着することによって圧力が作用する方向に、複数層の圧電素子アレイが積層されている。これにより、圧電素子ユニットの設置スペースを低減するとともに、周辺装置の装着に伴う圧力を各圧電素子アレイに備えられた圧電素子に作用させて発電を行わせることができ、発電効率を向上させることができる。
【００１５】
本発明の画像形成システムは、記録材上に画像を形成する画像形成装置と、上記画像形成装置に対して着脱可能に装着される周辺装置とを備えた画像形成システムであって、上記画像形成装置における上記周辺装置との当接面、または上記周辺装置における上記画像形成装置との当接面に設けられた圧電素子ユニットを備え、上記圧電素子ユニットは、加えられた圧力を電力に変換する圧電素子を備えており、上記周辺装置を上記画像形成装置に装着することによって上記周辺装置と上記画像形成装置とに挟まれて上記圧電素子に作用する圧力により発電を行うことを特徴としている。
【００１６】
上記の構成によれば、周辺装置を装着する際に圧電素子に作用する圧力、および周辺装置を装着した後に画像形成装置または周辺装置の振動によって圧電素子に作用する圧力を電力に変換することができる。また、画像形成装置および周辺装置の動作状態にかかわらず発電を行うことができる。
【００１７】
また、上記圧電素子は、チタン酸バリウム、ジルコニア、リチウムタンタレートのうちのいずれか１つ以上を用いたものである構成としてもよい。
【００１８】
上記の構成によれば、作用する圧力に比例して電気分極が生じて電圧が発生し、発電を行うことができる。
【００１９】
また、上記圧電素子ユニットは、複数の圧電素子が同一平面内に配置された圧電素子アレイを複数備えており、上記各圧電素子アレイは、上記圧力の作用方向に沿って積層されている構成としてもよい。
【００２０】
上記の構成によれば、周辺装置を画像形成装置に装着することによって圧力が作用する方向に、複数層の圧電素子アレイが積層されている。これにより、圧電素子ユニットの設置スペースを低減するとともに、周辺装置の装着に伴う圧力を各圧電素子アレイに備えられた圧電素子に作用させて発電を行わせることができ、発電効率を向上させることができる。
【００２１】
また、上記圧電素子ユニットによって発電された電力の電圧を降圧する降圧部を１つ以上備えており、電圧値の異なる複数種類の電力を生成する構成としてもよい。
【００２２】
上記の構成によれば、圧電素子ユニットによって発電された電力を、その用途に応じた複数種類の電圧値に変換することができる。
【００２３】
また、上記画像形成装置は、外部から供給される電力によって駆動されるものであり、上記圧電素子ユニットの発電した電力を蓄電する蓄電部を備え、上記画像形成装置に対する外部からの電力供給が遮断されたときに、上記蓄電部に蓄電されている電力を上記画像形成装置の少なくとも一部を駆動するための電力として用いる構成としてもよい。
【００２４】
上記の構成によれば、画像形成装置に対する外部からの電力供給が遮断された場合に、上記蓄電部に蓄電しておいた電力を用いて画像形成装置の少なくとも一部を動作させることができる。また、膨大な送配電システムを設けることなく、安価で省スペースな補助電力源を提供できる。
【００２５】
また、表示部を備え、上記画像形成装置に対する外部からの電力供給が遮断されたときに、上記蓄電部に蓄電されている電力を用いて上記表示部を駆動し、外部からの電力供給が遮断されたことを示すメッセージ、推奨される対処法を示すメッセージ、および当該画像形成装置の状況を示すメッセージのうちのいずれか１つ以上を表示させる構成としてもよい。
【００２６】
上記の構成によれば、画像読取装置に対する外部からの電力供給が遮断された場合でも、外部からの電力供給が遮断されたことを示すメッセージ、推奨される対処法を示すメッセージ、および当該画像読取装置の状況を示すメッセージのうちのいずれか1つ以上を表示してユーザに提示することができる。
【００２７】
また、ネットワークを介して通信可能に接続された他の装置との通信を行う通信部を備え、上記画像形成装置に対する外部からの電力供給が遮断されたときに、上記蓄電部に蓄電されている電力を用いて上記通信部を駆動し、外部からの電力供給が遮断されたことを示すメッセージを予め設定された送信先に送信する構成としてもよい。
【００２８】
上記の構成によれば、画像読取装置に対する外部からの電力供給が遮断された場合でも、外部からの電力供給が遮断されたことを示すメッセージを所定の送信先に送信することができる。
【００２９】
また、上記画像形成装置は、上記記録材を搬送する記録材搬送部を備えており、上記画像形成装置に対する外部からの電力供給が遮断されたときに、上記蓄電部に蓄電されている電力を用いて上記記録材搬送部を駆動し、上記記録材搬送部によって搬送中の記録材を排出する構成としてもよい。
【００３０】
上記の構成によれば、画像形成装置に対する外部からの電力供給が遮断された場合でも、記録材搬送部によって搬送中の記録材を排出することができるので、ユーザが搬送中の記録材を記録材搬送部から取り出す処理を手動で行う必要をなくすことができる。また、例えば画像形成装置に対する外部からの電力供給が復旧するなどして、記録材搬送部による記録材の搬送を再開する場合に、記録材の搬送を即座に開始することができる。
【発明の効果】
【００３１】
以上のように、本発明の周辺装置は、画像形成装置に装着したときに画像形成装置と当接する面に設けられた圧電素子ユニットを備え、上記圧電素子ユニットは、加えられた圧力を電力に変換する圧電素子を備えており、周辺装置を画像形成装置に装着することによって周辺装置と画像形成装置とに挟まれて上記圧電素子に作用する圧力により発電を行う。
【００３２】
また、本発明の画像形成システムは、画像形成装置における周辺装置との当接面、または周辺装置における画像形成装置との当接面に設けられた圧電素子ユニットを備え、上記圧電素子ユニットは、加えられた圧力を電力に変換する圧電素子を備えており、上記周辺装置を上記画像形成装置に装着することによって上記周辺装置と上記画像形成装置とに挟まれて上記圧電素子に作用する圧力により発電を行う。
【００３３】
それゆえ、本発明の周辺装置および画像形成システムによれば、周辺装置を装着する際に圧電素子に作用する圧力、および周辺装置を装着した後に画像形成装置または周辺装置の振動によって圧電素子に作用する圧力を電力に変換することができる。また、画像形成装置および周辺装置の動作状態にかかわらず発電を行うことができる。
【図面の簡単な説明】
【００３４】
【図１】本発明の一実施形態にかかる画像形成装置の斜視図である。
【図２】図１に示した画像形成装置に着脱可能に装着される周辺装置の断面模式図である。
【図３】図２に示した画像形成装置の装置構成を示すブロック図である。
【図４】図１に示した画像形成装置に備えられる発電部の構成を示すブロック図である。
【図５】（ａ）は図４に示した発電部に備えられる第１電圧リミッタの構成を示す回路図であり、（ｂ）は図４に示した発電部に備えられる第２電圧リミッタの構成を示す回路図である。
【図６】図４に示した発電部に備えられる第１降圧部の構成を示す回路図である。
【図７】（ａ）は図１に示した画像形成装置に備えられる圧電素子ユニットの平面図であり、（ｂ）はその断面図である。
【図８】図７（ｂ）に示した圧電素子ユニットの一部を拡大した断面拡大図である。
【図９】図１に示した画像形成装置における処理の流れの一例を示すフローチャートである。
【図１０】図１に示した画像形成装置における処理の流れの他の例を示すフローチャートである。
【発明を実施するための形態】
【００３５】
本発明の一実施形態について説明する。
【００３６】
（１−１．画像形成システム１の全体構成）
図２は本実施形態にかかる画像形成システム１の概略構成を示す模式図であり、図３は画像形成システム１のブロック図である。
【００３７】
図２および図３に示すように、画像形成システム１は、複合機（画像形成装置）１０と複合機１０に対して着脱可能に装着される周辺装置８００とを備えている。また、複合機１０は、画像読取装置１００、画像処理装置２００、画像出力装置３００、制御部４００、操作パネル５００、電源供給部６００、発電部７００、および通信部９００を備えている。
【００３８】
制御部４００は、演算部４０１と記憶部４０２とを備えており、複合機１０に備えられる各装置、すなわち画像読取装置１００、画像処理装置２００、画像出力装置３００、操作パネル５００、電源供給部６００、発電部７００、および通信部９００の動作、および周辺装置８００の動作を制御する。
【００３９】
記憶部４０２は、操作パネル５００を介してユーザから入力される各種コマンドや設定値、複合機１０および周辺装置８００の内部に配置される各種センサーの検知結果、複合機１０および周辺装置８００に設けられる各装置の動作を制御するための各種設定値およびデータテーブル、各種制御を実行するためのプログラムなどを記憶するものである。記憶部４０２としては、この分野で常用される各種記憶手段、例えば、リードオンリーメモリ（ＲＯＭ）、ランダムアクセスメモリ（ＲＡＭ）、ハードディスクドライブ（ＨＤＤ）などを用いることができる。
【００４０】
演算部４０１は、記憶部４０２に記憶されている各種情報および各種制御を実施するためのプログラムを取り出して演算処理や判定処理を行い、これらの処理結果に基づいて複合機１０および周辺装置８００が備える各装置に制御信号を送って各装置の動作を制御する。なお、演算部４０１は、例えば、中央演算処理装置（ＣＰＵ：Central Processing Unit）を備えるマイクロコンピュータ、マイクロプロセッサなどによって実現される処理回路である。
【００４１】
画像読取装置１００は、図２に示したように、画像出力装置３００が収容される筐体（複合機１０の本体）の上面に備えられており、原稿を読み取ってこの原稿の画像データを取得するものである。画像読取装置１００にて読み取られた原稿の画像データは、画像処理装置２００へと送られて所定の画像処理が施される。
【００４２】
画像処理装置２００は、画像出力装置３００が原稿を読み取って取得した画像データに対して、画像出力装置３００における印刷処理に適した画像データにするための画像処理を施し、画像出力装置３００に出力する。
【００４３】
画像出力装置３００は、画像処理装置２００から入力される画像データに応じた画像を記録材上に形成（印刷）する。なお、本実施形態では画像出力装置３００として電子写真方式のものを採用しているが、これに限らず、例えばインクジェット方式の画像出力装置を用いてもよい。
【００４４】
操作パネル５００は、ユーザからの指示入力を受け付けて制御部４００に伝達する入力部５０２と、ユーザに呈示する各種情報を表示するための表示部５０１とを備えている。表示部５０１は、例えば液晶ディスプレイなどによって構成され、入力部５０２は例えば各種設定ボタンなどよって構成される。なお、表示部５０１の機能と入力部５０２の機能とを一体化させたタッチパネルを操作パネル５００に備えてもよい。本実施形態では、操作パネル５００として東芝製のＴＦＴ−ＬＣＤタッチパネル８．４インチ（型番ＬＴ０８４ＡＣ３７１００、駆動電圧ＶＤＤ＝３．３Ｖ、消費電力５．０Ｗ）を用いた。
【００４５】
発電部７００は、詳細は後述するが、圧電素子を備えた圧電素子ユニット７０２とバッテリー７０７，７０８とを備えており、この圧電素子ユニット７０２によって発電した電力をバッテリー７０７，７０８に蓄電しておき、複合機１０に対する外部からの電力供給が遮断された場合に、バッテリー７０７，７０８に蓄電しておいた電力を複合機１０に供給するものである。
【００４６】
周辺装置８００は、画像出力装置３００が収容される筐体（複合機１０の本体）の側面にオプション装置として着脱可能に装着されるソーターであり、複数の排紙トレイ８０１，８０２を備え、画像出力装置３００から排出される記録材を制御部４００の指示に応じた排紙トレイに排出する仕分け処理を行う。制御部４００は、例えば、プリンタドライバから指定された排紙トレイ、操作パネル５００を介してユーザが指定した排紙トレイ、ユーザの属性、記録材の種類、あるいは記録材の排出枚数などに応じて予め定められた排紙トレイを選択し、選択した排紙トレイに記録材を排出させるように周辺装置８００の動作を制御する。
【００４７】
図１は、周辺装置８００の断面模式図である。この図に示すように、周辺装置８００は、給紙口８０３、搬送ローラ８０４ａ〜８０４ｆ、排紙切替部８０５、および圧電素子ユニット７０２を備えている。
【００４８】
給紙口８０３は、画像出力装置３００の排紙口３０１に応じた位置に備えられており、この排紙口３０１から排出される記録材を周辺装置８００内に受け入れる。
【００４９】
搬送ローラ８０４ａ〜８０４ｆは、制御部４００からの制御信号に応じて回転し、給紙口か８０３から受け入れた記録材を搬送する。また、排紙切替部８０５は、制御部４００からの制御信号に応じて、記録材の搬送先を切り替える。これにより、記録材を排紙トレイ８０１に排紙する場合には、給紙口８０３から給紙された記録材は搬送ローラ８０４ａ、排紙切替部８０５、搬送ローラ８０４ｂ、および搬送ローラ８０４ｃを介して排紙トレイ８０１に排出される。また、記録材を排紙トレイ８０２に排紙する場合には、給紙口８０３から給紙された記録材は搬送ローラ８０４ａ、排紙切替部８０５、搬送ローラ８０４ｄ、搬送ローラ８０４ｅ、および搬送ローラ８０４ｆを介して排紙トレイ８０２に排出される。
【００５０】
圧電素子ユニット７０２は、周辺装置８００の筐体の側面（複合機１０の本体側の側面）に配置されており、周辺装置８００を複合機１０に装着したときに、複合機１０の本体と周辺装置８００の本体とに挟まれて押圧力が作用するようになっている。圧電素子ユニット７０２の詳細については後述する。
【００５１】
通信部９００は、例えばモデムやネットワークカードより構成され、ネットワークに接続された他の装置（例えば、パーソナルコンピュータ、サーバー装置、他のデジタル複合機等）と画像データあるいは各種メッセージ等の送受信を行う。
【００５２】
電源供給部６００は、制御部４００の制御命令に応じて複合機１０に備えられる各装置に電力を供給する。なお、電源供給部６００は、通常時には複合機１０の外部から入力される、商用電力や自家発電電力（例えば、太陽光発電、太陽熱発電、温度差発電、ガス発電、燃料電池、コージェネレーションシステム等によって発電された電力）等の通常電源から供給される電力を用いて複合機１０の各部に電力を供給する。また、例えば、災害、送電線の断線、発電装置・送電装置等の故障などによって外部から通常時用の電力が供給されなくなったときには、発電部７００に備えられるバッテリー７０７，７０８に蓄電されている電力を電源供給部６００に出力し、電源供給部６００が発電部７００から入力される電力を用いて複合機１０の各部に電力を供給するようになっている。
【００５３】
（１−２．発電部７００の構成）
図４は、発電部７００の構成を示すブロック図である。この図に示すように、発電部７００は、発電制御部７０１、圧電素子ユニット７０２、整流部７０３、第１電圧リミッタ７０４、第１降圧部７０５、第２電圧リミッタ７０６、第１バッテリー（ＤＣ２４Ｖ用バッテリー）７０７、第２バッテリー（ＤＣ１２Ｖ用バッテリー）７０８、蓄電量検出部７０９、第２降圧部７１０、第３降圧部７１１、補助電力出力部７１２、第１スイッチ７１３、および第２スイッチ７１４を備えている。なお、本実施形態では、発電部７００の各部材のうち、圧電ユニット７０２を周辺装置８００に設け、圧電ユニット７０２以外の部材を複合機１０の本体に設けているが、これに限らず、これら各部材は複合機１０の本体に設けられていてもよく、周辺装置８００に設けられていてもよい。
【００５４】
発電制御部７０１は、複合機１０の制御部４００からの制御信号に応じて発電部７００の各部の動作を制御する。
【００５５】
また、発電制御部７０１は、複合機１０に外部から通常用の電力が供給されているか否かを監視している。例えば、発電制御部７０１は、複合機１０の制御部４００が動作しているか否かを定期的に（例えば１分毎に）または連続的に監視することによって複合機１０に外部から通常用の電力が供給されているか否かを監視する。そして、複合機１０に対する外部からの通常用の電力供給が遮断された場合、発電制御部７０１は、複合機１０の制御部４００とは独立して発電部７００の動作を制御する。なお、発電制御部７０１は、複合機１０に外部から通常用の電力が供給されている場合には電源供給部６００から供給される電力を用いて駆動され、複合機１０に対する外部からの通常用の電力供給が遮断された場合には第２バッテリー７０８に蓄電されている電力を用いて発電部７００の各部の動作を制御する。
【００５６】
圧電素子ユニット７０２は、外力が加えられることによって起電力を生じさせる圧電素子を複数備えており、これら圧電素子によって発電された電力を整流部７０３に出力する。なお、圧電素子ユニット７０２の詳細については後述する。
【００５７】
整流部７０３は、圧電素子ユニット７０２から入力される電力を整流して直流に変換し、第１電圧リミッタ７０４に出力する。
【００５８】
第１電圧リミッタ７０４は、入力端子が整流部７０３に接続され、出力端子が第１降圧部７０５および第１バッテリー７０７に並列に接続されており、出力電圧が２４Ｖより大きくならないように出力電圧の最大値を制限して第１降圧部７０５および第１バッテリー７０７に出力する。また、第１電圧リミッタ７０４と第１バッテリー７０７との間には第１スイッチ７１３が直列に接続されている。なお、第１電圧リミッタ７０４としては、従来から公知の電圧リミッタ回路を用いることができる。図５（ａ）は第１電圧リミッタ７０４の一例を示す回路図である。この図に示すように、本実施形態では、第１電圧リミッタ７０４として、ダイオード順電圧（ダイオード電圧降下）２４ＶのダイオードＤ１，Ｄ２を順方向が逆になるように互いに並列に接続した構成のものを用いた。
【００５９】
第１降圧部７０５は、第１電圧リミッタ７０４からの入力電圧をＤＣ２４ＶからＤＣ１２Ｖに降圧して第２電圧リミッタ７０６に出力する。なお、第１降圧部７０５としては、従来から公知の種々の降圧回路を用いることができる。図６は第１降圧部７０５の一例を示す回路図である。この図に示すように、本実施形態では、スイッチング素子ＳＷ１とチョークコイルＣＣ１とを入力端子のプラス側と出力端子のプラス側との間に直列に接続し、ダイオードＤ５をチョークコイルＣＣ１の入力側と出力端子のマイナス側との間に接続し、コンデンサＣＤ１をチョークコイルＣＣ１の出力側と出力端子のマイナス側との間に接続した構成のものを用いた。なお、スイッチング素子ＳＷ１のＯＮ／ＯＦＦは発電制御部７０１によって制御される。これにより、スイッチング素子ＳＷ１がＯＮのときにはスイッチング素子ＳＷ１およびチョークコイルＣＣ１を介して出力端子のプラス側に電流が流れ、スイッチング素子ＳＷ１がＯＦＦのときにはコンデンサＣＤ１、ダイオードＤ５、およびチョークコイルＣＣ１を介して出力端子のプラス側に電流が流れ、出力端子の電圧は１２Ｖで安定するようになっている。
【００６０】
第２電圧リミッタ７０６は、出力電圧が１２Ｖより大きくならないように出力電圧の最大値を制限して第２バッテリー７０８に出力する。なお、第２電圧リミッタ７０６とだい２バッテリー７０８との間には第２スイッチ７１４が直列に接続されている。なお、第２電圧リミッタ７０６としては、第１電圧リミッタ７０４と同様、従来から公知の電圧リミッタ回路を用いることができる。図５（ｂ）は第２電圧リミッタ７０６の一例を示す回路図である。この図に示すように、本実施形態では、第２電圧リミッタ７０６として、ダイオード順電圧（ダイオード電圧降下）１２ＶのダイオードＤ３，Ｄ４を順方向が逆になるように互いに並列に接続した構成のものを用いた。
【００６１】
第１バッテリー（ＤＣ２４Ｖ用バッテリー、蓄電部）７０７は第１電圧リミッタ７０４から入力される電圧値２４Ｖの電力を蓄電する蓄電手段であり、第２バッテリー（ＤＣ１２Ｖ用バッテリー、蓄電部）７０８は第２電圧リミッタ７０６から入力される電圧値１２Ｖの電力を蓄電する蓄電手段である。第１バッテリー７０７および第２バッテリー７０８の構成は特に限定されるものではなく、従来から公知の種々の蓄電手段（例えば、ニッカド電池、ニッケル水素電池など）を用いることができる。本実施形態では、第１バッテリー７０７としてＴＯＡ社製の型番ＮＤＣ−２４０２（容量５００ｍＡｈ、電圧２４Ｖ）のものを用い、第２バッテリー７０８としてユニペックス社製の型番ＷＢＴ−２０００（容量２０００ｍＡｈ、電圧１２Ｖ）のものを用いた。
【００６２】
蓄電量検出部７０９は、第１バッテリー７０７および第２バッテリー７０８の蓄電量を検出し、検出結果を発電制御部７０１に伝達する。発電制御部７０１は、第１バッテリー７０７の蓄電量が所定値以上になった場合には第１スイッチ７１３を遮断して第１電圧リミッタ７０４から第１バッテリー７０７への電力供給を遮断させ、第２バッテリー７０８の蓄電量が所定値以上になった場合には第２スイッチ７１４を遮断して第２電圧リミッタ７０６から第２バッテリー７０８への電力供給を遮断させる。これにより、第１バッテリー７０７および第２バッテリー７０８に対する過充電を防止し、過充電による発熱やバッテリーの寿命低下を防止する。
【００６３】
また、第１バッテリー７０７の出力端子は補助電力出力部７１２に接続されており、第２バッテリー７０８の出力端子は補助電力出力部７１２、第２降圧部７１０、および第３降圧部７１１に並列に接続されている。
【００６４】
第２降圧部７１０は第２バッテリー７０８から入力されるＤＣ１２Ｖの電圧をＤＣ５Ｖに降圧して補助電力出力部７１２に出力し、第３降圧部７１１は第２バッテリー７０８から入力されるＤＣ１２Ｖの電圧をＤＣ３．３Ｖに降圧して補助電力出力部７１２に出力する。なお、第２降圧部７１０および第３降圧部７１１としては従来から公知の降圧回路を用いることができる。本実施形態では、第２降圧部７１０および第３降圧部７１１として、マキシム・ジャパン社製のパワーサプライレギュレータ（型番：ＭＡＸ７２２）を用いた。
【００６５】
補助電力出力部７１２は、複合機１０に対する外部からの通常用の電力供給が遮断された場合に、発電制御部７０１からの制御信号に応じて、第１バッテリー７０７および第２バッテリー７０８から入力されるＤＣ２４Ｖ、ＤＣ１２Ｖ、ＤＣ５Ｖ、およびＤＣ３．３Ｖの電力を電源供給部６００に出力する。
【００６６】
また、補助電力出力部７１２は、複合機１０に対する外部からの通常用の電力供給が遮断された場合に、発電制御部７０１からの制御信号に応じて、第２バッテリー７０８から入力されるＤＣ１２Ｖの電力の一部を発電制御部７０１に出力する。これにより、発電制御部７０１は、複合機１０に対する外部からの通常用の電力供給が遮断された場合には第２バッテリー７０８に蓄電されている電力を用いて駆動される。
【００６７】
また、本実施形態では、補助電力出力部７１２から出力される２４Ｖの電力を用いて複合機１０におけるＬＣＤパワーボード、スキャナコントロールボード、給紙駆動、ＰＣＵパワーボード、メインドライブユニット、プロセス駆動、ＦＵＮ等（いずれも図示せず）を駆動し、１２Ｖの電力を用いてトナー濃度センサー、ＣＣＤセンサー（いずれも図示せず）、および通信部９００を駆動し、５Ｖの電力を用いてＪＡＭ検知センサー（アクチュエーター）、フォトセンサー、外装カバー開閉検知センサー、ＩＣタグ等（いずれも図示せず）を駆動し、３．３Ｖの電力を用いて操作パネル５００等を駆動するようになっている。
【００６８】
なお、第１バッテリー７０７および第２バッテリー７０８の容量は、上記各部に非常時用の所定の動作（複合機１０に対する外部からの電力供給が遮断した場合に行うように設定されている動作）を行わせるために必要な電力を蓄電可能なように適宜設定すればよい。
【００６９】
（１−３．圧電素子ユニット７０２の構成）
圧電素子ユニット７０２は、複数の圧電素子（本実施形態では１２００個）からなる。各圧電素子は、圧力が加えられることによって変形して電気を生じさせる。このような圧電素子としては、例えば、チタン酸バリウム、ジルコニア（ＺｒＯ２）などの圧電セラミックスからなるものや、リチウムタンタレート（ＬｉＴａＯ３）などの圧電単結晶からなるものなどを用いることができる（特許文献２参照）。
【００７０】
本実施形態では、厚さ１００μｍ、直径２ｃｍのリチウムタンタレートからなる圧電単結晶の表面に、幅２０μｍ、深さ５０μｍの溝を２０μｍ間隔で形成した構成の圧電素子を用いた。この圧電素子は、０．０５ｇ／ｃｍ２の圧力を加えると、２０ｍＶの電圧を発生する。
【００７１】
図７（ａ）の圧電素子ユニット７０２に備えられる圧電素子アレイ７２４の平面図であり、図７（ｂ）は圧電素子ユニット７０２の断面図である。
【００７２】
図７（ｂ）に示すように、圧電素子ユニット７０２では、圧電素子アレイ７２４が４層積層されており、これら各圧電素子アレイ７２４の間にはＡＢＳ樹脂からなる厚さ０．５ｍｍのスペーサ層７２５が挿入されている。より詳細には、本体部１１１との対向面側から順に、基板７３１、第４のスペーサ層７２５ｄ、第４の圧電素子アレイ７２４ｄ第３のスペーサ層７２５ｃ、第３の圧電素子アレイ７２４ｃ、第２のスペーサ層７２５ｂ、第２の圧電素子アレイ７２４ｂ、第１のスペーサ層７２５ａ、第１の圧電素子アレイ７２４ａ、スポンジ等からなる緩衝層７２３、ユニットカバー７２２がこの順で積層されている。
【００７３】
また、図７（ａ）に示すように、各圧電素子アレイ７２４には、複数の圧電素子７２１が同一平面内に配置されている。圧電素子ユニット７０２における複合機１０の本体との接触領域の面積は、高さ６０ｃｍ×幅４５ｃｍ６０ｃｍ＝２７００ｃｍ２であり、各圧電素子アレイ７２４では、高さ方向１５個×幅方向２０個＝３００個の圧電素子７２１がこの接触領域に対応する範囲内に略均等な間隔で配置されている。なお、周辺装置８００における複合機１０の本体側の側面のサイズは高さ１００ｃｍ×幅４５ｃｍであり、圧電素子ユニット７０２はこの側面に備えられ、周辺装置８００を複合機１０に装着したときに、複合機１０の本体と周辺装置８００の本体とに挟まれて押圧力が作用するようになっている。
【００７４】
図８は図７（ｂ）のＢ部を拡大した拡大図である。この図に示すように、各スペーサ層７２５の周縁部（圧電素子アレイ７２４との対向領域の周囲の領域）には、スペーサ層同士の対向部に設けられた凹部７２６と、凹部内に設けられた外径７．９５ｍｍの円筒形状からなるボス部７２７と、ボス部７２７を貫挿するように設けられた内径８ｍｍのバネ７２８とが設けられている。なお、各スペーサ層７２５における図７（ｂ）の紙面左側の端部だけでなく、紙面右側の端部、紙面奥行き側の端部、および紙面手前側の端部についても同様に、凹部７２６、ボス部７２７、およびバネ７２８が設けられている。これにより、周辺装置８００を複合機１０の本体に装着すると緩衝層７２３を介して各圧電素子アレイ７２４および各スペーサ層７２５に圧力が作用し、各スペーサ層７２５は複合機１０の本体との対向面に垂直な方向に縮み、各圧電素子アレイ７２４に備えられる各圧電素子７２１に押圧力が作用する。
【００７５】
なお、上述した３００個×４層＝１２００個の圧電素子７２１は直列に接続されており、周辺装置８００を複合機１０の本体に装着すると、周辺装置８００と複合機１０の本体との間に挟まれる圧電素子ユニット７０２に押圧力が作用し、それによって各圧電素子７２１において０．０２Ｖ以上の起電力が生じ、圧電素子ユニット７０２から整流部７０３に０．０２Ｖ×１２００個＝２４Ｖ以上の電力が出力される。
【００７６】
（１−３．発電部７００の動作）
図９は、発電部７００における処理の流れを示すフローチャートである。
【００７７】
まず、発電制御部７０１は、蓄電量検出部７０９による第１バッテリー７０７および第２バッテリー７０８の蓄電量の検出結果に基づいて、これら両バッテリーが満充電状態であるか否かを判断する（Ｓ１１）。そして、両バッテリーが共に満充電状態であると判断した場合、発電制御部７０１は、第１スイッチ７１３および第２スイッチ７１４を遮断して第１バッテリー７０７および第２バッテリー７０８への充電を中止し（Ｓ１２）、Ｓ１７の処理に移る。
【００７８】
一方、Ｓ１１において少なくとも一方のバッテリーが満充電ではないと判断した場合、発電制御部７０１は、第１バッテリー７０７が満充電であるか否かを判断する（Ｓ１３）。そして、第１バッテリー７０７が満充電であると判断した場合、発電制御部７０１は、第１スイッチ７１３を遮断して第１バッテリー７０７への充電を中止し（Ｓ１２）、Ｓ１７の処理に移る。
【００７９】
一方、Ｓ１３において第１バッテリー７０７が満充電ではないと判断した場合、発電制御部７０１は、第２バッテリー７０８が満充電であるか否かを判断する（Ｓ１５）。そして、第２バッテリー７０８が満充電であると判断した場合、発電制御部７０１は、第２スイッチ７１４を遮断して第２バッテリー７０８への充電を中止し（Ｓ１６）、Ｓ１７の処理に移る。なお、第２バッテリー７０８が満充電ではないと判断した場合、すなわち第１バッテリー７０７および第２バッテリー７０８が共に満充電ではない場合、発電制御部７０１は第１スイッチ７１３および第２スイッチ７１４を導通させたままＳ１７の処理に移る。
【００８０】
Ｓ１７において、発電制御部７０１は、複合機１０に対して通常電力（商用電力あるいは自家発電電力等）による電力供給がなされているか否かを判断する。そして、通常電力による電力供給がなされていると判断した場合には、Ｓ１１の処理に戻る。
【００８１】
一方、通常電力による電力供給がなされていないと判断した場合、発電制御部７０１は、補助電力出力部７１２を制御し、第１バッテリー７０７および第２バッテリー７０８に蓄電されている電力を複合機１０の電源供給部６００に出力させ（Ｓ１８）、Ｓ１１の処理に戻る。
【００８２】
これにより、圧電素子ユニット７０２が周辺装置８００の複合機１０の本体に対する装着に伴って作用する圧力を電力に変換して発電することができる。また、複合機１０および周辺装置８００の動作や設置環境に応じて生じた振動（例えば、複合機１０および周辺装置８００における記録材の給紙および搬送に伴う振動、画像読取装置１００におけるスキャン動作に伴う振動、周辺装置８００における排紙トレイの切替動作に伴う振動、複合機１０を載置している床面の振動など）により、圧電素子ユニット７０２に作用する圧力が変化した場合に、この振動のエネルギーを圧電素子ユニット７０２によって電力に変換することができる。
【００８３】
また、発電した電力を第１バッテリー７０７および第２バッテリー７０８に蓄電しておくことにより、複合機１０に対して通常電力の供給が何らかの原因で遮断された場合であっても、蓄電しておいた電力を複合機１０に供給することができ、それによって複合機１０の制御部４００が複合機１０の各部に非常時用の動作として予め設定された所定の動作を行わせることができる。
【００８４】
なお、本実施形態では、圧電素子ユニット７０２によって発電した電力を第１バッテリー７０７および第２バッテリー７０８に蓄電しておくものとしているが、これに限らず、発電した電力を複合機１０（あるいは画像読取装置１００）においてそのまま利用するようにしてもよい。
【００８５】
また、発電部７００による発電は、複合機１０の状態とは無関係に常時行うようにしてもよく、複合機１０が所定の状態（例えば複合機１０の電源スイッチがＯＮである状態など）である場合にのみ行うようにしてもよい。
【００８６】
また、第１バッテリー７０７または第２バッテリー７０８が満充電状態ではない場合（あるいは蓄電量が所定値以下である場合）に、発電制御部７０１が制御部４００にその旨を通知し、制御部４００が操作パネル５００の表示部５０１に周辺装置８００の着脱動作をユーザに促す画面を表示するようにしてもよい。
【００８７】
図１０は、上記の各処理を行う場合の発電部７００の処理の流れの一例を示すフローチャートである。
【００８８】
まず、発電制御部７０１は、複合機１０の電源スイッチがＯＮであるか否かを判断する（Ｓ２１）。この判断は、例えば、電源スイッチがＯＮであるか否かを示す信号を複合機１０の制御部４００が発電制御部７０１に送信し、発電制御部７０１が当該信号に基づいて判断するようにすればよい。
【００８９】
そして、発電制御部７０１は、複合機１０の電源スイッチがＯＦＦである場合には第１スイッチ７１３および第２スイッチ７１４を遮断し（Ｓ２２）、処理を終了する。
【００９０】
一方、発電制御部７０１は、複合機１０の電源スイッチがＯＦＦである場合には、蓄電量検出部７０９による第１バッテリー７０７および第２バッテリー７０８の蓄電量の検出結果に基づいて、これら両バッテリーが満充電状態であるか否かを判断する（Ｓ２３）。そして、両バッテリーが共に満充電状態であると判断した場合、発電制御部７０１は、第１スイッチ７１３および第２スイッチ７１４を遮断して第１バッテリー７０７および第２バッテリー７０８への充電を中止し（Ｓ２４）、Ｓ３１の処理に移る。
【００９１】
一方、Ｓ２３において少なくとも一方のバッテリーが満充電ではないと判断した場合、発電制御部７０１は、圧電素子ユニット７０２による発電が行われているか否かを判断し（Ｓ２５）、発電が行われていない場合には複合機１０の制御部４００にその旨を通知し、操作パネル５００の表示部５０１に周辺装置８００の着脱動作を促すメッセージを表示させる。なお、上記メッセージの表示は、複合機１０の制御部４００が表示部５０１を制御して行わせてもよく、発電制御部７０１が表示部５０１を直接制御して行わせてもよい。また、圧電素子ユニット７０２によって発電が行われているか否かは、例えば圧電素子ユニット７０２から整流部７０３への出力電圧または出力電流を検出することによって行えばよい。
【００９２】
圧電素子ユニット７０２による発電が行われている場合、発電制御部７０１は、第１バッテリー７０７が満充電であるか否かを判断する（Ｓ２７）。そして、第１バッテリー７０７が満充電であると判断した場合、発電制御部７０１は、第１スイッチ７１３を遮断して第１バッテリー７０７への充電を中止し（Ｓ２８）、Ｓ３１の処理に移る。
【００９３】
一方、Ｓ２７において第１バッテリー７０７が満充電ではないと判断した場合、発電制御部７０１は、第２バッテリー７０８が満充電であるか否かを判断する（Ｓ２９）。そして、第２バッテリー７０８が満充電であると判断した場合、発電制御部７０１は、第２スイッチ７１４を遮断して第２バッテリー７０８への充電を中止し（Ｓ３０）、Ｓ３１の処理に移る。なお、第２バッテリー７０８が満充電ではないと判断した場合、すなわち第１バッテリー７０７および第２バッテリー７０８が共に満充電ではない場合、発電制御部７０１は第１スイッチ７１３および第２スイッチ７１４を導通させたままＳ３１の処理に移る。
【００９４】
Ｓ３１において、発電制御部７０１は、複合機１０に対して通常電力（商用電力あるいは自家発電電力等）による電力供給がなされているか否かを判断する。そして、通常電力による電力供給がなされていると判断した場合には、Ｓ２１の処理に戻る。
【００９５】
一方、通常電力による電力供給がなされていないと判断した場合、発電制御部７０１は、補助電力出力部７１２を制御し、第１バッテリー７０７および第２バッテリー７０８に蓄電されている電力を複合機１０の電源供給部６００に出力させ（Ｓ３２）、Ｓ２の処理に戻る。
【００９６】
ところで、上記の非常時用の動作、すなわち複合機１０への通常電力（商用電力あるいは自家発電電力など）の供給が遮断された場合に複合機１０において行う動作は特に限定されるものではないが、一例として以下の（１）〜（５）のうちのいずれか１つ以上の処理が挙げられる。
（１）操作パネル５００の表示部５０１に、通常電力による電力供給が遮断された場合に表示させるために予め設定されたメッセージを表示させる。上記メッセージとしては、例えば、通常電力による電力供給が遮断されていることを示すメッセージ、外部からの電力供給を復旧するための対処方法あるいは推奨される対処方法を示すメッセージ、外部からの電力供給を復旧するため処理を依頼する依頼先（例えば複合機１０の管理者、サービスマン、メーカーの相談窓口など）を示すメッセージ、通常電力による電力供給が遮断された場合に実行可能な処理内容を示すメッセージなどが挙げられる。本実施形態では、「電源系統の不具合が発生しています。管理担当者へ連絡してください。」というメッセージ表示させる。
（２）通信部９００から所定の送信先（例えば、複合機１０の管理者、管理センター、サービスマン等）に、通常電力の供給が遮断された旨のメッセージを送信する。
（３）画像読取装置１００のＤＳＰＦ（原稿搬送部）よって搬送中の原稿をＤＳＰＦの排紙トレイに排出する。
（４）画像出力装置３００および／または周辺装置８００の記録材搬送手段によって搬送中の記録材を所定の排出先に排出する。
（５）画像処理装置２００において処理中の画像データ、複合機１０における処理履歴情報などを所定のメモリーに保存する。
【００９７】
本実施形態では、複合機１０への通常電力（商用電力あるいは自家発電電力など）の供給が遮断された場合に、補助電力出力部７１２がＤＣ２４Ｖ、ＤＣ１２Ｖ、ＤＣ５Ｖ、およびＤＣ３．３Ｖの電力を複合機１０に供給するものとしたが、これに限るものではない。発電部７００から複合機１０への出力電力は、複合機１０への通常電力（商用電力あるいは自家発電電力など）の供給が遮断された場合に複合機１０において行う処理内容に応じて適宜設定すればよい。例えば、上記（１）の表示のみを行う場合には、ＤＣ３．３Ｖの電力のみを供給するようにしてもよい。また、上記（１）の表示と上記（２）のメッセージの送信とを行う場合には、表示用のＤＣ３．３Ｖの電力と通信用のＤＣ１２Ｖの電力とを供給するようにしてもよい。
【００９８】
また、第１バッテリー７０７および第２バッテリー７０８の蓄電容量は、複合機１０への通常電力の供給が遮断された場合に複合機１０において行う処理内容と、当該処理に伴い消費電力と、当該処理を継続する時間とを考慮して適宜設定すればよい。
【００９９】
また、圧電素子ユニット７０２に備えられる圧電素子７２１の個数についても上述した個数に限定されるものではなく、複合機１０への通常電力の供給が遮断された場合に複合機１０に行わせる処理内容、および当該処理に必要な電圧等に応じて適宜設定すればよい。例えば、上記（１）の表示のみを行う場合には少なくともＤＣ３．３Ｖの電力を発電できるように圧電素子７２１の個数を設定すればよい。
【０１００】
また、本実施形態では、圧電素子アレイ７２４が４層積層されている構成について説明したが、圧電素子アレイ７２４の積層数はこれに限るものではなく、１層〜３層であってもよく、５層以上であってもよい。圧電素子アレイ７２４の積層数は圧電素子ユニット７０２の設置面積、必要とする電圧、各圧電素子の起電力等に応じて適宜設定すればよい。
【０１０１】
また、本実施形態では、圧電素子ユニット７０２を周辺装置８００における複合機１０の本体に対向する位置に配置しているが、これに限るものではなく、複合機１０の本体における周辺装置８００との対向面に配置してもよい。
【０１０２】
また、本実施形態では、圧電素子ユニット７０２を周辺装置８００における複合機１０の本体との対向部、あるいは複合機１０の本体における周辺装置８００とのとの対向部に設ける構成について説明したが、圧電素子ユニット７０２の設置位置はこれに限るものではない。圧電素子ユニット７０２は、複合機１０における押圧力が繰り返し作用する位置、例えば、複合機１０あるいは周辺装置８００の本体に対して相対的に移動あるいは回転可能に設けられた可動部、あるいは複合機１０あるいは周辺装置８００における当該可動部に対向する位置に設ければよい。例えば、複合機１０において引出し動作が可能なように設けられた給紙カセット、複合機１０における折り畳み動作あるいは引出し動作が可能なように設けられた給紙トレイあるいは排紙トレイ、画像読取装置１００の原稿カバー１０３などの可動部、および／または、複合機１０における上記可動部との対向部などに圧電素子ユニット７０２を設けてもよい。また、上述した複数の圧電素子ユニット７０２を上述した位置のうちの複数箇所に設けてもよい。
【０１０３】
また、本実施形態では、複合機１０に対する外部からの電力供給が遮断された場合に、発電部７００が蓄電しておいた電力を電源供給部６００に供給し、複合機１０の制御部４００が複合機１０の各部を制御して所定の動作を行うものとしたが、これに限るものではない。例えば、複合機１０に対する外部からの電力供給が遮断された場合に、発電制御部７０１が複合機１０における所定の部材を制御して所定の動作を行わせるようにしてもよい。例えば、発電制御部７０１が表示部５０１を制御して所定のメッセージを表示させるようにしてもよい。
【０１０４】
また、本実施形態では、周辺装置８００として画像出力装置３００から排出される記録材の仕分け処理を行うソーターを備える場合について説明したが、これに限るものではない。周辺装置８００は、複合機１０の本体に対して着脱可能に備えられるものであればよく、例えば、画像出力装置３００に記録材を給紙する給紙装置、画像出力装置３００によって画像形成された記録材に対してステープル処理、パンチ穴開け処理、製本処理等の後処理を施す後処理装置などを用いてもよい。
【０１０５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１０６】
本発明は、周辺装置を着脱可能に備えることのできる画像形成装置に適用できる。
【符号の説明】
【０１０７】
１  画像形成システム
１０  複合機（画像形成装置）
４００  制御部
５０１  表示部
６００  電源供給部
７００  発電部
７０１  発電制御部
７０２、７０２ａ〜７０２ｄ  圧電素子ユニット
７０３  整流部
７０４  第１電圧リミッタ
７０５  第１降圧部
７０６  第２電圧リミッタ
７０７  第１バッテリー（蓄電部）
７０８  第２バッテリー（蓄電部）
７０９  蓄電量検出部
７１０  第２降圧部
７１１  第３降圧部
７１２  補助電力出力部
７１３  第１スイッチ
７１４  第２スイッチ
７２１  圧電素子
７２２  原稿プラテンカバー
７２３  緩衝層
７２４（７２４ａ〜７２４ｄ）  圧電素子アレイ
７２５（７２５ａ〜７２５ｄ）  スペーサ層
７２６  凹部
７２７  ボス部
７２８  バネ
８００  周辺装置
９００  通信部
【図１】
2012008274.tif 000003
【図２】
2012008274.tif 000004
【図３】
2012008274.tif 000005
【図４】
2012008274.tif 000006
【図５】
2012008274.tif 000007
【図６】
2012008274.tif 000008
【図７】
2012008274.tif 000009
【図８】
2012008274.tif 000010
【図９】
2012008274.tif 000011
【図１０】
2012008274.tif 000012